【手続補正書】
【提出日】平成18年7月24日(2006.7.24)
【手続補正１】
【補正対象書類名】明細書
【補正対象項目名】発明の名称
【補正方法】変更
【補正の内容】
【発明の名称】複数の略平板状筐体を含む情報機器
【手続補正２】
【補正対象書類名】明細書
【補正対象項目名】特許請求の範囲
【補正方法】変更
【補正の内容】
【特許請求の範囲】
【請求項１】     
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、少なくともその一方の面に表示画面（文字又は画像を映し出す面。以下同じ）が配置されており、
前記第２の略平板状筐体は、一方の面に表示画面が配置され、他方の面にキーボードやタッチパネルなどのデータ入力部が配置されている、
ことを特徴とする複数の略平板状筐体を有する情報機器。
【請求項２】
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、少なくともその一方の面に表示画面（文字又は画像を映し出す面。以下同じ）が配置されており、
前記第２の略平板状筐体は、その一方の面であって前記第１の略平板状筐体の表示画面と共にユーザーに対向する面に表示画面が配置されており、その反対側の面にキーボードやタッチパネルなどのデータ入力部が配置されている、ことを特徴とする情報機器。
【請求項３】
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、少なくともその一方の面に表示画面（文字又は画像を映し出す面。以下同じ）が配置されており、
前記第２の略平板状筐体は、その一方の面であって前記第１の略平板状筐体の表示画面と共にユーザーに対向する面にキーボードやタッチパネルなどのデータ入力部が配置されており、その反対側の面に表示画面が配置されている、ことを特徴とする複数の略平板状筐体を有する情報機器。
【請求項４】
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、そのユーザーと対向可能な面に表示画面（文字又は画像を映し出す面。以下同じ）が配置されており、
前記第２の略平板状筐体は、一方の面にキーボードやタッチパネルなどのデータ入力部が配置されており、
前記第１の略平板状筐体及び前記第２の略平板状筐体は、前記第１の略平板状筐体の表示画面と前記第２の略平板状筐体の前記一方の面に配置されたデータ入力部とが共にユーザーに対向する第１の状態と、前記第１の略平板状筐体の表示画面と前記第２の略平板状筐体の前記一方の面の反対側の他方の面とが共にユーザーに対向する第２の状態とのいずれの状態をも採り得るように、互いに接続されている、ことを特徴とする複数の略平板状筐体を有する情報機器。
【請求項５】
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、そのユーザーと対向可能な面に表示画面（文字又は画像を映し出す面。以下同じ）が配置されており、
前記第２の略平板状筐体は、一方の面に表示画面が配置され、他方の面にキーボードやタッチパネルなどのデータ入力部が配置されており、
前記第１の略平板状筐体及び前記第２の略平板状筐体は、前記第１の略平板状筐体の表示画面と前記第２の略平板状筐体の前記一方の面に配置された表示画面とが共にユーザーに対向する第１の状態と、前記第１の略平板状筐体の表示画面と前記第２の略平板状筐体の前記他方の面に配置されたデータ入力部とが共にユーザーに対向する第２の状態とのいずれの状態をも採り得るように、互いに接続されている、ことを特徴とする複数の略平板状筐体を有する情報機器。
【請求項６】
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、そのユーザーと対向可能な面に表示画面（文字又は画像を映し出す面。以下同じ）が配置されており、
前記第２の略平板状筐体は、一方の面にキーボードやタッチパネルなどのデータ入力部が配置されており、
ユーザーの動作により、前記第１の略平板状筐体及び第２の略平板状筐体を、前記第１の略平板状筐体の表示画面と前記第２の略平板状筐体の前記一方の面に配置されたデータ入力部とが共にユーザーに対向する第１の状態と、前記第１の略平板状筐体の表示画面と前記第２の略平板状筐体の前記一方の面の反対側の他方の面とが共にユーザーに対向する第２の状態との、いずれかの状態に切り替えるための切替手段と、
を備えた、ことを特徴とする複数の略平板状筐体を有する情報機器。
【請求項７】
第１の略平板状筐体及び第２の略平板状筐体を含む情報機器であって、
前記第１及び第２の略平板状筐体を互いに折り畳み可能に且つ両者が共にユーザーに対して対向可能であるように接続するための接続手段を備え、
前記第１の略平板状筐体は、そのユーザーと対向可能な面に表示画面（文字又は画像を映し出す面。以下同じ）が配置されており、
前記第２の略平板状筐体は、一方の面に表示画面が配置され、他方の面にキーボードやタッチパネルなどのデータ入力部が配置されており、
ユーザーの動作により、前記第１の略平板状筐体及び第２の略平板状筐体を、前記第１の略平板状筐体の表示画面と前記第２の略平板状筐体の前記一方の面に配置された表示画面とが共にユーザーに対向する第１の状態と、前記第１の略平板状筐体の表示画面と前記第２の略平板状筐体の前記他方の面のデータ入力部とが共にユーザーに対向する第２の状態との、いずれかの状態に切り替えるための切替手段と、
を備えた、ことを特徴とする複数の略平板状筐体を有する情報機器。
【請求項８】
請求項４，５，６，又は７において、前記第１の略平板状筐体及び前記第２の略平板状筐体は、互いが部分的に連結・接続されたままグルッと回転させられることにより、前記第１の状態から前記第２の状態に、又は前記第２の状態から前記第１の状態に、移行できるようになっている、ことを特徴とする複数の略平板状筐体を有する情報機器。
【請求項９】
第１の略平板状筐体、第２の略平板状筐体、及び第３の略平板状筐体が、第１、第２、第３の略平板状筐体の順に並べられた状態で保持され得る情報機器であって、
前記第１、第２、及び第３の略平板状筐体を、それらが前記順に並べられた状態で折り畳み可能に接続するための接続手段を備え、
前記第１の略平板状筐体は、少なくともその一方の面に表示画面（文字又は画像を映し出す面。以下同じ）が配置されており、
前記第２の略平板状筐体は、少なくともその一方の面に表示画面が配置されており、
前記第３の略平板状筐体は、少なくともその一方の面であって前記第２の略平板状筐体と共にユーザーと対向する面に、キーボードやタッチパネルなどのデータ入力部が配置されている、
ことを特徴とする複数の略平板状筐体を有する情報機器。
【請求項１０】
第１の略平板状筐体、第２の略平板状筐体、及び第３の略平板状筐体を含む情報機器であって、
前記第１の略平板状筐体と前記第３の略平板状筐体とを、それらの間に前記第２の略平板状筐体を介在させて、それらが前記第２の略平板状筐体を両側から挟みこむように、互いに折り畳み可能に接続するための接続手段と、
前記第１の略平板状筐体は、少なくともその一方の面に表示画面（文字又は画像を映し出す面。以下同じ）が配置されており、
前記第２の略平板状筐体は、少なくともその一方の面に表示画面が配置されており、
前記第３の略平板状筐体は、少なくともその一方の面であって前記第２の略平板状筐体と共にユーザーと対向する面に、キーボードやタッチパネルなどのデータ入力部が配置されている、
ことを特徴とする複数の略平板状筐体を有する情報機器。
【請求項１１】
請求項９又は１０において、
前記第２の略平板状筐体は、その両面に表示画面が配置されている、
ことを特徴とする複数の略平板状筐体を有する情報機器。
【請求項１２】
請求項９，１０又は１１において、
前記第１の略平板状筐体の前記一方の面の反対側の他方の面には、又は、前記第３の略平板状筐体の前記一方の面の反対側の他方の面には、ユーザーが遠隔の相手方と会話を行うための送話部が配置されている、複数の略平板状筐体を有する情報機器。
【請求項１３】
請求項９，１０又は１１において、
前記第１の略平板状筐体の前記一方の面の反対側の他方の面には、又は、前記第３の略平板状筐体の前記一方の面の反対側の他方の面には、ユーザーが遠隔の相手方と会話を行うための受話部が配置されている、複数の略平板状筐体を有する情報機器。
【請求項１４】
請求項９，１０又は１１において、
前記第１の略平板状筐体の前記一方の面の反対側の他方の面には、又は、前記第３の略平板状筐体の前記一方の面の反対側の他方の面には、ユーザーが遠隔の相手方の電話番号などを入力するための複数の入力キーから成る入力部が配置されている、複数の略平板状筐体を有する情報機器。
【請求項１５】
請求項９から１４までのいずれか一つにおいて、
前記第１の略平板状筐体及び第２の略平板状筐体を、これらの略平板状筐体のそれぞれユーザーと対向する各面の間の角度が「ユーザーが前記２つの面を共に自己に対向させた状態で見るの適した角度である約１１０度から約１７０度までの範囲内のいずれかの角度」となるように、固定又は半固定するための第１の固定手段と、
前記第２の略平板状筐体及び第３の略平板状筐体を、これらの略平板状筐体のそれぞれユーザーと対向する各面の間の角度が「ユーザーが前記２つの面の中のユーザーに近い側の面を使用してデータを入力すると共に前記２つの面の中のユーザーから離れている側の面を使用して前記入力されたデータを見るのに適した角度である約１００度から約１３０度までの範囲内のいずれかの角度」となるように、固定又は半固定するための第２の固定手段と、
を備えたことを特徴とする、複数の略平板状筐体を有する情報機器。
【手続補正３】
【補正対象書類名】明細書
【補正対象項目名】０００４
【補正方法】変更
【補正の内容】
【０００４】
本発明は、少なくとも２つの略平板状筐体又は少なくとも３つの平板状筐体を組み合わせることにより、不使用時には大幅な小型化を可能にしながら、使用時には、携帯電話による通話、キーボードやタッチパネルなどによる文字・画像・図形などのデータの入力、又は広い表示面積を使用しての画像や文章の閲覧などの複数の用途にそれぞれ適した形態にすることができるような（例えば、不使用時には大幅な小型化を可能にしながらも、ユーザーが遠隔の他人と通話するときは携帯電話としての使用が可能かつ容易であり、ユーザーがデータを入力するときはキーボードやタッチパネルなどによるデータ入力が可能かつ容易であり、又はユーザーが文章や画像を見るときは広い表示面積を有する表示画面への情報の表示が可能かつ容易であるような）、携帯型通信端末装置を提供することを目的とする。
また、本発明は、不使用時には服のポケットに入るくらい小型化でき、他方、使用時には、大量の文字や画像を大きく表示できると共に、大量のデータを速く入力することができる、携帯型の情報機器を提供することを目的とする。
【手続補正４】
【補正対象書類名】明細書
【補正対象項目名】０００５
【補正方法】変更
【補正の内容】
【０００５】
【課題を解決するための手段】
１．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、少なくともその一方の面に表示画面（文字又は画像を映し出す面。以下同じ）が配置されており、前記第２の略平板状筐体は、一方の面に表示画面が配置され、他方の面にキーボードやタッチパネルなどのデータ入力部が配置されている、ことを特徴とする複数の略平板状筐体を有する情報機器。
２．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、少なくともその一方の面に表示画面（文字又は画像を映し出す面。以下同じ）が配置されており、前記第２の略平板状筐体は、その一方の面であって前記第１の略平板状筐体の表示画面と共にユーザーに対向する面に表示画面が配置されており、その反対側の面にキーボードやタッチパネルなどのデータ入力部が配置されている、ことを特徴とする情報機器。
３．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、少なくともその一方の面に表示画面（文字又は画像を映し出す面。以下同じ）が配置されており、前記第２の略平板状筐体は、その一方の面であって前記第１の略平板状筐体の表示画面と共にユーザーに対向する面にキーボードやタッチパネルなどのデータ入力部が配置されており、その反対側の面に表示画面が配置されている、ことを特徴とする複数の略平板状筐体を有する情報機器。
４．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、そのユーザーと対向可能な面に表示画面（文字又は画像を映し出す面。以下同じ）が配置されており、前記第２の略平板状筐体は、一方の面にキーボードやタッチパネルなどのデータ入力部が配置されており、前記第１の略平板状筐体及び前記第２の略平板状筐体は、前記第１の略平板状筐体の表示画面と前記第２の略平板状筐体の前記一方の面に配置されたデータ入力部とが共にユーザーに対向する第１の状態と、前記第１の略平板状筐体の表示画面と前記第２の略平板状筐体の前記一方の面の反対側の他方の面とが共にユーザーに対向する第２の状態とのいずれの状態をも採り得るように、互いに接続されている、ことを特徴とする複数の略平板状筐体を有する情報機器。
５．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、そのユーザーと対向可能な面に表示画面（文字又は画像を映し出す面。以下同じ）が配置されており、前記第２の略平板状筐体は、一方の面に表示画面が配置され、他方の面にキーボードやタッチパネルなどのデータ入力部が配置されており、前記第１の略平板状筐体及び前記第２の略平板状筐体は、前記第１の略平板状筐体の表示画面と前記第２の略平板状筐体の前記一方の面に配置された表示画面とが共にユーザーに対向する第１の状態と、前記第１の略平板状筐体の表示画面と前記第２の略平板状筐体の前記他方の面に配置されたデータ入力部とが共にユーザーに対向する第２の状態とのいずれの状態をも採り得るように、互いに接続されている、ことを特徴とする複数の略平板状筐体を有する情報機器。
６．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、そのユーザーと対向可能な面に表示画面（文字又は画像を映し出す面。以下同じ）が配置されており、前記第２の略平板状筐体は、一方の面にキーボードやタッチパネルなどのデータ入力部が配置されており、ユーザーの動作により、前記第１の略平板状筐体及び第２の略平板状筐体を、前記第１の略平板状筐体の表示画面と前記第２の略平板状筐体の前記一方の面に配置されたデータ入力部とが共にユーザーに対向する第１の状態と、前記第１の略平板状筐体の表示画面と前記第２の略平板状筐体の前記一方の面の反対側の他方の面とが共にユーザーに対向する第２の状態との、いずれかの状態に切り替えるための切替手段と、を備えた、ことを特徴とする複数の略平板状筐体を有する情報機器。
７．第１の略平板状筐体及び第２の略平板状筐体を含む情報機器であって、前記第１及び第２の略平板状筐体を互いに折り畳み可能に且つ両者が共にユーザーに対して対向可能であるように接続するための接続手段を備え、前記第１の略平板状筐体は、そのユーザーと対向可能な面に表示画面（文字又は画像を映し出す面。以下同じ）が配置されており、前記第２の略平板状筐体は、一方の面に表示画面が配置され、他方の面にキーボードやタッチパネルなどのデータ入力部が配置されており、ユーザーの動作により、前記第１の略平板状筐体及び第２の略平板状筐体を、前記第１の略平板状筐体の表示画面と前記第２の略平板状筐体の前記一方の面に配置された表示画面とが共にユーザーに対向する第１の状態と、前記第１の略平板状筐体の表示画面と前記第２の略平板状筐体の前記他方の面のデータ入力部とが共にユーザーに対向する第２の状態との、いずれかの状態に切り替えるための切替手段と、を備えたことを特徴とする複数の略平板状筐体を有する情報機器。
８．上記４，５，６，又は７において、前記第１の略平板状筐体及び前記第２の略平板状筐体は、互いが部分的に連結・接続されたままグルッと回転させられることにより、前記第１の状態から前記第２の状態に、又は前記第２の状態から前記第１の状態に、移行できるようになっている、ことを特徴とする複数の略平板状筐体を有する情報機器。
９．第１の略平板状筐体、第２の略平板状筐体、及び第３の略平板状筐体が、第１、第２、第３の略平板状筐体の順に並べられた状態で保持され得る情報機器であって、前記第１、第２、及び第３の略平板状筐体を、それらが前記順に並べられた状態で折り畳み可能に接続するための接続手段を備え、前記第１の略平板状筐体は、少なくともその一方の面に表示画面（文字又は画像を映し出す面。以下同じ）が配置されており、前記第２の略平板状筐体は、少なくともその一方の面に表示画面が配置されており、前記第３の略平板状筐体は、少なくともその一方の面であって前記第２の略平板状筐体と共にユーザーと対向する面に、キーボードやタッチパネルなどのデータ入力部が配置されている、ことを特徴とする複数の略平板状筐体を有する情報機器。
１０．第１の略平板状筐体、第２の略平板状筐体、及び第３の略平板状筐体を含む情報機器であって、前記第１の略平板状筐体と前記第３の略平板状筐体とを、それらの間に前記第２の略平板状筐体を介在させて、それらが前記第２の略平板状筐体を両側から挟みこむように、互いに折り畳み可能に接続するための接続手段と、前記第１の略平板状筐体は、少なくともその一方の面に表示画面（文字又は画像を映し出す面。以下同じ）が配置されており、前記第２の略平板状筐体は、少なくともその一方の面に表示画面が配置されており、前記第３の略平板状筐体は、少なくともその一方の面であって前記第２の略平板状筐体と共にユーザーと対向する面に、キーボードやタッチパネルなどのデータ入力部が配置されている、
ことを特徴とする複数の略平板状筐体を有する情報機器。
１１．上記９又は１０において、前記第２の略平板状筐体は、その両面に表示画面が配置されている、ことを特徴とする複数の略平板状筐体を有する情報機器。
１２．上記９，１０又は１１において、前記第１の略平板状筐体の前記一方の面の反対側の他方の面には、又は、前記第３の略平板状筐体の前記一方の面の反対側の他方の面には、ユーザーが遠隔の相手方と会話を行うための送話部が配置されている、複数の略平板状筐体を有する情報機器。
１３．上記９，１０又は１１において、前記第１の略平板状筐体の前記一方の面の反対側の他方の面には、又は、前記第３の略平板状筐体の前記一方の面の反対側の他方の面には、ユーザーが遠隔の相手方と会話を行うための受話部が配置されている、複数の略平板状筐体を有する情報機器。
１４．上記９，１０又は１１において、前記第１の略平板状筐体の前記一方の面の反対側の他方の面には、又は、前記第３の略平板状筐体の前記一方の面の反対側の他方の面には、ユーザーが遠隔の相手方の電話番号などを入力するための複数の入力キーから成る入力部が配置されている、複数の略平板状筐体を有する情報機器。
１５．上記９から１４までのいずれか一つにおいて、前記第１の略平板状筐体及び第２の略平板状筐体を、これらの略平板状筐体のそれぞれユーザーと対向する各面の間の角度が「ユーザーが前記２つの面を共に自己に対向させた状態で見るの適した角度である約１１０度から約１７０度までの範囲内のいずれかの角度」となるように、固定又は半固定するための第１の固定手段と、前記第２の略平板状筐体及び第３の略平板状筐体を、これらの略平板状筐体のそれぞれユーザーと対向する各面の間の角度が「ユーザーが前記２つの面の中のユーザーに近い側の面を使用してデータを入力すると共に前記２つの面の中のユーザーから離れている側の面を使用して前記入力されたデータを見るのに適した角度である約１００度から約１３０度までの範囲内のいずれかの角度」となるように、固定又は半固定するための第２の固定手段と、を備えたことを特徴とする、複数の略平板状筐体を有する情報機器。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００２７
【補正方法】変更
【補正の内容】
【００２７】
【発明の効果】
本発明によれば、少なくとも２つの略平板状筐体又は少なくとも３つの平板状筐体を組み合わせることにより、不使用時には大幅な小型化を可能にしながら、使用時には、携帯電話による通話、キーボードやタッチパネルなどによる文字・画像・図形などのデータの入力、又は広い表示面積を使用しての画像や文章の閲覧などの複数の用途にそれぞれ適した形態にすることができる（例えば、不使用時には大幅な小型化を可能にしながらも、ユーザーが遠隔の他人と通話するときは携帯電話としての使用が可能かつ容易であり、ユーザーがデータを入力するときはキーボードやタッチパネルなどによるデータ入力が可能かつ容易であり、又はユーザーが文章や画像を見るときは広い表示面積を有する表示画面への情報の表示が可能かつ容易である）、携帯型通信端末装置を提供することができる。
また、特に本発明では、不使用時には服のポケットに入るくらい小型化でき、他方、使用時には、大量の文字や画像を大きく表示できると共に、大量のデータを速く入力することができる、携帯型の情報機器を提供することができる。